(57)【要約】      （修正有）【課題】身の回り品用ジョイント関し、特に使用者の好みに応じて携帯する小物や袋物、又は携帯電話等の電子機器等にマスコット等を容易に着脱して使用者を楽しませることのできる身の回り品用ジョイントを提供する。【解決手段】電子機器等に取付けられた細紐１に固定されたカバー部材２の内側に雄型ジョイント３を着脱自在に設け、雄型ジョイント本体の下方に設けた孔部にリング４を介してマスコット６等を取付け、又は雄型ジョイント本体の頂部とマスコット下方に一体的に固定されたベース７間を細紐で連結してマスコットを取付け、更にジョイント部材、マスコット及びベースを形成する合成樹脂に紫外線防止剤又は電波吸収剤を混入させた身の回り品用ジョイントを提供する。【選択図】図１
0003105195.tif 000002
【実用新案登録請求の範囲】
【請求項１】
電子機器や袋物、鞄等にマスコット等を着脱自在に取付けられる身の回り品用ジョイントにおいて、電子機器に取付けられた細紐に固定されたカバー部材の内側に雄型ジョイントを着脱自在に設け、雄型ジョイント本体の下方に設けた孔部に、リングを挿通し、該リングには、マスコットに捻じ込まれた捻じ込みリングが挿通され、マスコット下方に一体的に固定されたベースの下方には筒体が嵌着されていることを特徴とする身の回り品用ジョイント。
【請求項２】
電子機器や袋物、鞄等にマスコット等を着脱自在に取付けられる身の回り品用ジョイントにおいて、電子機器に取付けられた細紐に固定されたカバー部材の内側に雄型ジョイントを着脱自在に設け、雄型ジョイント本体とマスコットとに縦孔を設け、雄型ジョイント本体の頂部とマスコット下方に一体的に固定されたベース間を細紐で連結したことを特徴とする身の回り品用ジョイント。
【請求項３】
マスコット下方に一体的に固定されたベースの下方に設けた筒体には、他の雄型ジョイントを着脱自在とし、複数のマスコットが連結されるように構成したことを特徴とする請求項１乃至請求項２に記載の身の回り品用ジョイント。
【請求項４】
合成樹脂で成形されるジョイント部材、マスコット及びベースに紫外線防止剤が混入されていることを特徴とする請求項１乃至請求項２に記載の身の回り品用ジョイント。
【請求項５】
合成樹脂で成形されるジョイント部材、マスコット及びベースに電波吸収剤が混入されていることを特徴とする請求項１乃至請求項２に記載の身の回り品用ジョイント。
【考案の詳細な説明】
【技術分野】
【０００１】  本考案は、身の回り品用ジョイントに関し、特に使用者の好みに応じて携帯する小物や袋物、又は携帯電話等の電子機器等にマスコット等を容易に着脱して使用者を楽しませることのできる身の回り品用ジョイントに関するものである。
【背景技術】
【０００２】  従来、携帯電話や電子機器用として用いるストラップが種々考案されており、可動部分を有するマスコットを備えたものやアクセサリー上下のリリヤン紐にそれぞれ雄型ジョイントを固定したものが考案されている。【０００３】
【実用新案文献１】
実用新案登録第３０４３４４４号公報
【実用新案文献２】
実用新案登録第３０５６１９４号公報
【考案の開示】
【考案が解決しようとする課題】
【０００４】    上述した実用新案文献１の「可動するキャラクター部を備えた携帯電話等用のストラップ」は、携帯電話等の本体と接続する紐部材とストラップ部材との間にマスコット的キャラクター部材を介装しているものにおいて、キャラクター部材の外側に突出された可動部材、または、キャラクター部材の開口部を介して外部から見ることのできるキャラクター部材内部に備えられた可動部材が、ストラップ部材を引いたり離したりすることで上下に動くことを特徴とするものである。【０００５】  また、上述した実用新案文献２の「携帯機器用ストラップとそのアクセサリー」では、ストラップの吊紐と吊元紐が互いに分断されてその分断側の端部に夫々雌型ジョイント部材が設けられ、該ジョイント部材に連結可能な二つの雄型ジョイント部材を設けたアクセサリーが、その二つのジョイント部材によって吊紐と吊元紐との間に着脱自在に装着されるものである。【０００６】  これらの実用新案文献１，２に開示されたストラップ類は、いずれも複雑な構造で部品数も多く、製造コストが高く組立てにも手間のかかるものであった。
【課題を解決するための手段】
【０００７】  本考案はこのような事情に鑑みてなされたものであり、極めて簡単な構造でコストも安く組立ても容易な身の回り品用ジョイントを提供することを目的とするものであり、電子機器や袋物、鞄等にマスコット等を着脱自在に取付けられる身の回り品用ジョイントにおいて、電子機器に取付けられた細紐に固定されたカバー部材の内側に雄型ジョイントを着脱自在に設け、雄型ジョイント本体の下方に設けた孔部に、リングを挿通し、該リングには、マスコットに捻じ込まれた捻じ込みリングが挿通され、マスコット下方に一体的に固定されたベースの下方には筒体が嵌着されていることを特徴とし、また、電子機器や袋物、鞄等にマスコット等を着脱自在に取付けられる身の回り品用ジョイントにおいて、電子機器に取付けられた細紐に固定されたカバー部材の内側に雄型ジョイントを着脱自在に設け、雄型ジョイント本体とマスコットとに縦孔を設け、雄型ジョイント本体の頂部とマスコット下方に一体的に固定されたベース間を細紐で連結したことを特徴とし、マスコット下方に一体的に固定されたベースの下方に設けた筒体には、他の雄型ジョイントを着脱自在とし、複数のマスコットが連結されるように構成したことを特徴とし、合成樹脂で成形されるジョイント部材、マスコット及びベースに紫外線吸収剤が混入されていることを特徴とし、且つ、合成樹脂で成形されるジョイント部材、マスコット及びベースに電波吸収剤が混入されていることを特徴とする身の回り品用ジョイントを提供するものである。
【考案の効果】
【０００８】  以上説明したように、本考案に係る身の回り品用ジョイントによれば、使用者の好みに合ったマスコット等を使用する携帯用電子機器や袋物、鞄等に容易に着脱することができるので、使用者が好みに合わせて楽しむことができ、また、合成樹脂で成形されるジョイント部材、マスコット及びベースに紫外線吸収剤が混入されているので、変色が防止され、且つ、合成樹脂で成形されるジョイント部材、マスコット及びベースに電波吸収剤が混入されているので、携帯電話等に使用した場合は電波の受信状態が良く話し易い効果がある身の回り品用ジョイントを提供される。
【考案を実施するための最良の形態】
【０００９】  以下、図面に基づき本考案を具体的に説明する。図面において、図１は本考案に係る身の回り品用ジョイントの斜視図である。図２はジョイント部材の拡大斜視図である。図３は雄型ジョイントの側面図である。図４は雄型ジョイントの正面図である。図５は本考案に係る身の回り品用ジョイントの使用状態説明図である。図６は本考案に係る身の回り品用ジョイントの他の実施例を示す斜視図である。図７は他の実施例を示す雄型ジョイントの拡大斜視図である。図８は他の実施例を示す雄型ジョイントの側面図である。図９は他の実施例を示す雄型ジョイントの正面図である。【００１０】  請求項１において、電子機器９に取付けられた細紐１に固定されたカバー部材２の内側には雄型ジョイント雄型ジョイント３が着脱自在に設けられている。雄型ジョイント本体３１先端部は下方に向かって拡張する弾性部３２、３２が一体的に設けられており、押圧部３３、３３を摘んでカバー部材２内に挿入されると、突起部３５、３５はカバー部材２内の段差（図示せず）に嵌着しカバー部材２に回動自在に保持される。【００１１】  雄型ジョイント部材本体３１の下方には孔部３４が設けられ、該孔部３４にリング４が挿通され、該リング４には、マスコット６に捻じ込まれた捻じ込みリング５が挿通されている。【００１２】  請求項２において、電子機器９に取付けられた細紐１に固定されたカバー部材２の内側には雄型ジョイント雄型ジョイント３が着脱自在に設けられている。雄型ジョイント本体３１先端部は下方に向かって拡張する弾性部３２、３２が一体的に設けられており、押圧部３３、３３を摘んでカバー部材２内に挿入されると、突起部３５、３５はカバー部材２内の段差（図示せず）に嵌着しカバー部材２に回動自在に保持される。【００１３】  そして雄型ジョイント部材本体３１とマスコット６とに縦孔３７が設けられ、該縦孔３７には細紐１０が挿通され、雄型ジョイント本体３１の頂部３６とマスコット６の下方に一体的に固定されたベース８間とが該細紐で連結され、図６に示されるように使用することもできる。【００１４】  請求項３において、マスコット６の下方に一体的に固定されたベース７の下方には筒体８が嵌着されており、筒体８に対しては他の雄型ジョイント（図示せず）を嵌着することもできる。【００１５】  請求項４乃至請求項５において、合成樹脂で成形されるジョイント部材Ａ、マスコット６及びベース７に紫外線吸収剤が混入されているので、変色が防止され、且つ、合成樹脂で成形されるジョイント部材Ａ、マスコット６及びベース７に電波吸収剤が混入されているので、携帯電話等に使用した場合は微弱電波でも受信状態が良く話し易い効果がある身の回り品用ジョイントを提供される。
【図面の簡単な説明】
【００１６】
【図１】本考案に係る身の回り品用ジョイントの斜視図である。
【図２】ジョイント部材の拡大斜視図である。
【図３】雄型ジョイントの側面図である。
【図４】雄型ジョイントの正面図である。
【図５】本考案に係る身の回り品用ジョイントの使用状態説明図である。
【図６】本考案に係る身の回り品用ジョイントの他の実施例を示す斜視図である。
【図７】他の実施例を示す雄型ジョイントの拡大斜視図である。
【図８】他の実施例を示す雄型ジョイントの側面図である。
【図９】他の実施例を示す雄型ジョイントの正面図である。
【符号の説明】
【００１７】    Ａ・・・・・ジョイント部材
１・・・・・細紐
２・・・・・カバー部材
３・・・・・雄型ジョイント
３１・・・・・雄型ジョイント本体
３２・・・・・弾性部
３３・・・・・押圧部
３４・・・・・孔部
３５・・・・・突起部
３６・・・・・頂部
３７・・・・・縦孔
４・・・・・リング
５・・・・・捻じ込みリング
６・・・・・マスコット
７・・・・・ベース
８・・・・・筒体
９・・・・・電子機器
１０・・・・・細紐
【図１】
0003105195.tif 000003
【図２】
0003105195.tif 000004
【図３】
0003105195.tif 000005
【図４】
0003105195.tif 000006
【図５】
0003105195.tif 000007
【図６】
0003105195.tif 000008
【図７】
0003105195.tif 000009
【図８】
0003105195.tif 000010
【図９】
0003105195.tif 000011